(57)【特許請求の範囲】
【請求項１】
ＤＶＤディスクのデータ読み取り手段と、前記読み取り手段で読み取ったデータを一時的に蓄積するバッファと、前記バッファに蓄積したデータを取り込みデコードするデータデコード手段と、前記読み取り手段の作動による読み取り命令に対して読み取りエラーを発生した回数の割合を演算する読み取りエラーレート演算手段と、前記読み取りエラーレートが所定値以上であるか否かを判別する判別手段とを備え、
前記エラーレートの所定値を、前記バッファから前記データデコード手段に取り込むデータ速度と、ＤＶＤディスクから前記バッファに取り込まれるデータ速度の比較により設定するとともに、
前記判別手段でエラーレートが所定値以上であると判別したときには、ディスクのクリーニングを促す出力を行うことを特徴とするＤＶＤディスクのエラー原因提示装置。
【請求項２】
前記エラーレートの所定値を、２倍速読み取り可能の装置において２％に設定したことを特徴とする請求項１記載のＤＶＤディスクのエラー原因提示装置。
【請求項３】
前記ディスクのクリーニングを促す出力は、モニター、または音声により行うことを特徴とする請求項１記載のＤＶＤディスクのエラー原因提示装置。
【請求項４】
前記ＤＶＤディスクのクリーニングを促す出力以外に、他の予想される原因も出力することを特徴とする請求項１記載のＤＶＤディスクのエラー原因提示装置。
【発明の詳細な説明】
【０００１】
【発明の属する技術分野】
本発明は、ＤＶＤビデオやＤＶＤオーディオのようなＤＶＤ−ＡＶシステムに用いるディスクについて、その表面の傷や汚れによるエラーを利用者に知らせることができるようにしたＤＶＤディスクのエラー原因提示装置に関する。
【０００２】
【従来の技術】
近年は大容量の記憶媒体としてＤＶＤディスクが広く用いられている。このＤＶＤディスクは次第に高密度化しており、ディスクに記録されたデータを読み込むディスクプレーヤでは、読み込んだデータの厳密な処理を行う必要上、ディスク表面の些細な汚れによって生じた微細な不適正な信号に対しても読み込みエラーが発生したとして処理を行い、以降の作動を停止する等の処置がなされてしまい、そのＤＶＤディスクの適正な再生を行うことができなくなってしまう。
【０００３】
このときには、多くの場合は利用者がディスクの表面の拭き取り等のクリーニング操作を行えば解決し、このディスクの再生を行うことができるのに対して、例えばディスクの表面に指紋が付いている場合には一見しただけではそれがわからず、またこれに気が付いたとしても以前から使い慣れているＣＤのディスクと同様に、指紋はそのディスクの読み取りに影響しないと考えることも多いため、ＤＶＤディスクの読み取りエラーはその指紋が原因となっていることに気が付かない場合が多い。
【０００４】
その場合には、利用者は単にＤＶＤディスクの表面の汚れ等に原因があるのではなく、ＤＶＤディスクの記録データが不適正のためか、あるいはＤＶＤディスクプレーヤのピックアップを含め、ディスクプレーヤ側に問題があるのではないかと誤解し、プレーヤを修理に出す等の対応を行うこととなる。
【０００５】
【発明が解決しようとする課題】
上記のように、ＤＶＤディスクの表面における些細な汚れでもディスクプレーヤが再生を停止してしまうときに、利用者がその原因が単なるディスク表面の汚れであることに気が付かず、ディスクのデータ記録上の問題、あるいはプレーヤの問題と誤解して種々の誤った対応をすることを防止する必要がある。
【０００６】
したがって、本発明は、ＤＶＤディスク表面上の些細な汚れによってプレーヤが読み取りエラーを発生したことを利用者に知らせることができるようにしたＤＶＤディスクのエラー原因提示装置を提供することを主たる目的とする。
【０００７】
【課題を解決するための手段】
本発明に係るＤＶＤディスクのエラー原因提示装置は、上記課題を解決するため、ＤＶＤディスクのデータ読み取り手段と、前記読み取り手段で読み取ったデータを一時的に蓄積するバッファと、前記バッファに蓄積したデータを取り込みデコードするデータデコード手段と、前記読み取り手段の作動による読み取り命令に対して読み取りエラーを発生した回数の割合を演算する読み取りエラーレート演算手段と、前記読み取りエラーレートが所定値以上であるか否かを判別する判別手段とを備え、前記エラーレートの所定値を、前記バッファから前記データデコード手段に取り込むデータ速度と、ＤＶＤディスクから前記バッファに取り込まれるデータ速度の比較により設定するとともに、前記判別手段でエラーレートが所定値以上であると判別したときには、ディスクのクリーニングを促す出力を行うようにしたものである。
【０００８】
また、本発明に係る他のＤＶＤディスクのエラー原因提示装置は、前記エラーレートの所定値を、２倍速読み取り可能の装置において２％に設定したものである。
【０００９】
また、本発明に係る他のＤＶＤディスクのエラー原因提示装置は、前記ディスクのクリーニングを促す出力を、モニター、または音声により行うようにしたものである。
【００１０】
また、本発明に係る他のＤＶＤディスクのエラー原因提示装置は、前記ＤＶＤディスクのクリーニングを促す出力以外に、他の予想される原因も出力するようにしたものである。
【００１１】
【発明の実施の形態】
本発明の実施の形態を図面に沿って説明する。図１は本発明のＤＶＤディスクのエラー表示装置を備えたＤＶＤビデオプレーヤの機能ブロック図であり、ここでは図２に示すようなデータフォーマットで構成される信号が取り込まれて処理されている。ここで取り込まれるデータを理解するため、最初にＤＶＤビデオディスクのデータフォーマット、特にディスクに実際にデータを記録する物理フォーマットについて説明する。
【００１２】
ＤＶＤビデオディスク２に記録されたデータは、フォーマットの基準に沿って、或いは必要に応じてそれ以外の手法によりフォーマットすることができるものであるが、例えば図３に示すようにフォーマットされる。即ち、このＤＶＤに記録されているデータが例えば映画である場合は、この映画の１作品となるビデオオブジェクトセット（ＶＯＢＳ）が１つの単位となっている。このＶＯＢＳは、１群の記録データとして管理される複数のビデオオブジェクト（ＶＯＢ）からなる。このＶＯＢは映画では１シーンや１カット等の単位となるセル（Ｃｅｌｌ）の集合で構成され、このＣｅｌｌの再生時間は数分から十数分程度となっている。
【００１３】
各Ｃｅｌｌは複数のビデオオブジェクトユニット（ＶＯＢＵ）によって構成され、このＶＯＢＵは全再生時間が０．４秒から１．２秒単位のデータが記録されている。このＶＯＢＵの中には、ＭＰＥＧ２のフォーマットにおける複数のグループオブピクチャーが含まれる。このＶＯＢＵは、ＶＯＢＵを管理する情報を記録したナビゲーションパック（ＮＶパック：ＮＶ−ＰＣＫ）と、主映像を記録したビデオパック（Ｖパック：Ｖ−ＰＣＫ）と、音声データを記録したオーディオパック（Ａパック：Ａ−ＰＣＫ）と、字幕等の副映像データを記録したサブピクチャーパック（ＳＰパック：ＳＰ−ＰＣＫ）とにより構成されている。
【００１４】
各ＶＯＢＵはＮＶパックと呼ばれる管理パック内のデータに基づき管理される。このＮＶパックには、ＶＯＢＵ全体の管理データとして、このＶＯＢＵの再生時間が記録され、また、ＮＶパックにより再生が制御される主映像を記録したＶパックのサイズが記録されている。そのほか、このＮＶパックには、このＮＶパックのアドレス、カテゴリー、ユーザオペレーションの制御情報、このＶＯＢＵが含まれているＣｅｌｌの先頭からの経過時間等、種々の管理データが記録されている。
【００１５】
このＮＶパックのデータは、ＮＶパックデータバッファに蓄えられ、映像・音声再生・合成部においてこのデータが必要なときに取り出され、この管理情報によりデータの各種処理等が行われる。また、ＮＶパック内には、映像データ表示の制御情報であるプレゼンテーション・コントロール・インフォメーション（ＰＣＩ）と、各データのサーチ情報であるデータ・サーチ・インフォメーション（ＤＳＩ）とを備えている。また、前記ＰＣＩには、このＰＣＩ全体の管理情報と、ノンシームレスの場合のアングル切換情報と、副映像等を表示する際に所定領域にハイライト表示をするための情報と、主映像データ、副映像データ、音声データのレコーディング情報等が記録されている。
【００１６】
上記のようなデータが記録されているＤＶＤビデオディスクを再生するプレーヤにおいては図１に示すように構成される。即ち、ピックアップ３は、図示しないレーザダイオード、ビームスプリッタ、対物レンズ、光検出器等を含み、モータ１により回転駆動されるＤＶＤ２に対して再生光としての光ビームを照射すると共に、ＤＶＤ２から光ビームの反射光を受光し、ＤＶＤ２上に形成されている情報ピットに対応する検出信号Ｓpを出力する。このとき、光ビームがＤＶＤ２上の情報トラックに対して正確に照射されると共に、ＤＶＤ２上の情報記録面で正確に焦点を結ぶように、ドライブコントローラにより図示しない対物レンズに対して従来技術と同様の方法によりトラッキングサーボ制御及びフォーカスサーボ制御がなされている。このとき、ディスク表面の些細な汚れでも適正が焦点制御が行われないことがある。
【００１７】
ピックアップ３から出力された検出信号Ｓpは、復調訂正部４に入力され、復調処理及び誤り訂正処理が行われて復調信号Ｓdmが生成され、ストリームスイッチ６及びシステムバッファ８に出力される。復調信号Ｓdmが入力されたストリームスイッチ６部分は、ドライブコントローラ５からのスイッチ信号Ｓsw1 によりその開閉が制御され、閉のときには、入力された復調信号Ｓdmをそのまま通してトラックバッファ７に出力する。一方、ストリームスイッチ６が開のときには、復調信号Ｓdmは出力されず、不要な信号がトラックバッファ７に入力されることがないようにしている。
【００１８】
トラックバッファ７は入力された復調信号Ｓdmを一時的に記憶すると共に、ストリームスイッチ９が閉とされているときには、記憶した復調信号Ｓdmを連続的に出力する。トラックバッファ７は、ＭＰＥＧ２方式における物理フォーマットによって生じた可変ビットレートによるデータ量の差を補償すると共に、ディスクの各部に分割されたデータの読み取りの際等に、シームレス再生におけるトラックジャンプに起因して不連続に入力される復調信号Ｓdmを連続的に出力し、その不連続による再生の中断を解消するために設けられている。連続的に復調信号Ｓdmが入力されるストリームスイッチ９は、デマルチプレクサ１０における分離処理において、後段の各種バッファがオーバーフローしたり、逆に空になってデコード処理が中断することがないように、システムコントローラ２０からのスイッチ信号Ｓsw2 により開閉が制御される。
【００１９】
トラックバッファ７と並行して復調信号Ｓdmが入力されるシステムバッファ８は、ＤＶＤ２をローディングしたときに最初に検出され、ＤＶＤ２に記録されている各種管理情報やコントロールデータを蓄積して制御情報Ｓc としてシステムコントローラ２０に出力すると共に、再生中にナビパック毎のＤＳＩデータを一時的に蓄積し、システムコントローラ２０に制御情報Ｓcとして出力する。ストリームスイッチ９を介して復調信号Ｓdmが連続的に入力されたデマルチプレクサ１０においては、その復調信号Ｓdmから各パック毎に主映像データ、副映像データ、オーディオデータ、ＰＣＩデータを抽出し、主映像信号Ｓv 、副映像信号Ｓsp、オーディオ信号Ｓad並びにＰＣＩ信号Ｓpcとして、夫々主映像バッファ１１、サブピクチャバッファ１２、オーディオバッファ１３及びＰＣＩバッファ１４に出力する。
【００２０】
このとき、デマルチプレクサ１０は、各パック及びパケットからパックヘッダ、パケットヘッダ等を抽出し、夫々に含まれる情報をヘッダ信号Ｓhdとしてシステムコントローラ２０に出力する。このヘッダ信号Ｓhdには、デマルチプレクサ１０において分離されたオーディオパックのパックヘッダ、パケットヘッダ、サブストリームＩＤ情報、オーディオフレーム情報、オーディオデータ情報等が含まれている。
【００２１】
主映像信号Ｓv が入力される主映像バッファ１１はビデオ信号Ｓv を一時的に蓄積し、主映像デコーダ１５に出力する。主映像バッファ１１は、ＭＰＥＧ２方式により圧縮されているビデオ信号Ｓv における前記物理フォーマットとは異なる論理フォーマットでのデータ量のばらつきを補償するためのものである。ここでデータ量のばらつきが補償されたビデオ信号Ｓv が主映像デコーダ８に入力し、ＭＰＥＧ２方式により復調が行われて復調ビデオ信号Ｓvdとして混合器９１に出力される。一方、副映像信号Ｓspが入力される副映像バッファ１２は、入力された副映像信号Ｓspを一時的に蓄積し、副映像デコーダ１６に出力する。副映像バッファ１２は、副映像信号Ｓspに含まれる副映像を、副映像データに対応する主映像データ４２と同期して出力するためのものである。
【００２２】
主映像データとの同期が取られた副映像信号Ｓspが副映像デコーダ１６に出力され、ここで復調が行われて復調副映像信号Ｓspd として混合器１９に出力される。主映像デコーダ１５から出力された復調ビデオ信号Ｓvd及びこれと同期がとられた副映像デコーダ１６から出力された復調副映像信号Ｓspdは、混合器９１により混合され、最終的な表示すべき映像信号Ｓvpとしてモニター２２に出力される。
【００２３】
オーディオ信号Ｓadが入力されるオーディオバッファ１３は、入力されたオーディオ信号Ｓadを一時的に蓄積し、オーディオデコーダ１７に出力する。オーディオバッファ１７は、システムコントローラ２０から出力されるヘッダ制御信号に基づいて、オーディオ信号Ｓadを対応する映像情報を含むビデオ信号Ｓv 又は副映像信号Ｓspに同期して出力させるためのものであり、対応する映像情報の出力状況に応じてオーディオ信号Ｓadを遅延させる。
【００２４】
その後、対応する映像情報と同期するように時間調整されたオーディオ信号Ｓadは、オーディオデコーダ１７に出力され、システムコントローラ２０から出力されるヘッダ制御信号に基づいて、リニアＰＣＭ方式における再生処理が施されて復調オーディオ信号Ｓaddとしてスピーカ２４に出力される。なお、音楽情報のみを含むオーディオＤＶＤにおいては、映像情報との同期処理は不要である。
【００２５】
この装置には上記のような映像及びオーディオを再生する機能部の他に、読み込みエラーレート演算部２１がシステムコントローラ２０に接続しており、ピックアップ３でＤＶＤディスク２のデータ読み取りを行い、復調訂正部４にそれを出力し、そこで読み込みエラーが発生したことを検出し、その信号をシステムコントローラ２０から読み込みエラーレート演算部２１に出力する。
【００２６】
読み取りエラーレート演算部２１では、システムコントローラの制御信号により所定時間内の読み取りエラー回数、即ち読み取りエラーレートを演算する。そのデータをディスク汚れ判別部２２に出力し、ディスク汚れ判別部２２ではそのエラーレートが予め決められた所定値を越えたか否かを判別し、越えたときにはモニター２３に対して、例えば図４に示すように、ディスクの読み取りエラーが多発しており、それはディスクのクリーニングを行うと解決する可能性のあることを表示する。
【００２７】
即ち、ＤＶＤ−ＡＶの規格上、デコーダに対するデータ転送レートが可変であることから、ＤＶＤ−ＡＶシステムでは図１に示すようにＤＶＤディスクの読み取り部とデコーダの間、図示の例においては復調訂正部４とデマルチプレクサ１０の間にトラックバッファ７を設けているが、このトラックバッファ７内のデータがデコーダにより全て使い切られる前に、ピックアップ３部分においてＤＶＤディスクからデータを読み込めば途切れることなく再生することができる。
【００２８】
２倍速再生機能に対応しているＤＶＤ−ＡＶボードの最大消費データー量は、２倍速デコード時であり、
10.08Mbps（DVD-Video規格上の最大データ消費量)×2＝20.16Mbpsである。
ドライブからのデータ読込レートＶｒが上記２０．１６Ｍｂｐｓより小さくなると、トラックバッファ内のデーターは徐々に減っていき、最終的にはトラックバッファがアンダーフローし、映像、音声の途切れとなる。
【００２９】
したがって、単位時間当たりのリードコマンド発行に対するリードエラー発生回数をｎとすると、ｎは以下の不等式を満たす値でなければならない。
(1／11.28ms−n×50ms／11.28ms)×(2048×16×8)＞10.08Mbps×2・・・（１）
この式の結果      ｎ＜１．８                           ・・・・（２）
が得られる。
【００３０】
ここで11.28の意味するところは、ＤＶＤドライブにおいて１回の「Read(12)」という読み取りコマンドで１６セクタを読み取ることとなっており、このときの最短ケースを考えると、１セクタに記録できるデータは最大値で２０４８byteであり、これを最速の２倍速で再生時するときは、
2048byte×8×16／(11.08Mbps×2)＝11.28ms
（ここで11.08MbpsはＤＶＤビデオでシームレスアングルチェンジという機能があり、この機能を実現するためのデーター転送レートを11.08Mbpsと決めていることによる。）となって、１１．２８ｍｓ以内に一連の読み込み処理が行われる必要があるという値である。
また、1/11.28は、１秒間あたりの上記Read(12)コマンドによる１６セクタ転送回数値となる。
また50msは、ドライブのリトライ時間最悪値である。
またｎは、１秒間あたりの前記Read(12)コマンドに対するエラー回数であり、リトライもエラー１回としてカウントした値である。
【００３１】
したがって、１００回のリードコマンドに対する許容エラー回数は、
１００／（１０００／１１．２８）×１．８＝２．０３となり、
それにより、１００回のリードコマンド発行に対し２．０３回のリードエラーが発生するとトラックバッファアンダーフローが発生してしまうこととなる。
以上の理由により、許容エラーレートは２％に設定すればよいことがわかる。
【００３２】
したがって、図１におけるディスク汚れ判別部２２では、読み込みエラーレート演算部２１で演算した結果が２％を越えたときに、ディスクが汚れている恐れがあると判別し、モニター２３に対して前記のような利用者に注意を促す表示出力を行う。なお、上記２％の値は２倍速でも途切れることがないようにしたときの値であり、例えば３倍速、４倍速等に設定した場合には、上記式にこの値を当てはめることにより容易にその許容値を求めることができる。
【００３３】
このような本発明によるＤＶＤディスクのエラー表示装置は、例えば図２に示す作動フローによって順に作動させることができる。即ち最初ディスクの読み取りエラーのカウントを行う（ステップＳ１）。次いで、そのカウント開始から所定時間が経過したか否かを判別する（ステップＳ２）。この所定時間としては、例えば１秒、３秒等任意の時間に設定することができる。ここで前記所定時間が経過していないと判別されたときには、その時間になるまでこのカウントの作動を繰り返す。
【００３４】
上記ステップＳ２で所定時間が経過したと判別したときには、そのカウントの値によって、ディスクの読み取り指令回数とエラーの回数によりエラーレートを演算する（ステップＳ３）。次いでその平均の値が、前記のようにして求められた２倍速に対応して、１００回のリードコマンド発行に対して２回の割合である、許容エラーレートが２％のような所定値以上であるか否かを判別する（ステップＳ４）。
【００３５】
その結果所定値以上であると判別されたときには、例えば図４に示すようなディスククリーニングを勧める表示の出力を行う（ステップＳ５）。次いでこのプレーヤによる再生作動が停止したか否かの判別を行い（ステップＳ６）、例えば大きなエラーレートによりプレーヤの再生作動が停止したとき、あるいは利用者がこのプレーヤの作動を強制的に停止したときにはこのフローを終了する（ステップＳ８）。
【００３６】
前記ステップＳ４において所定値上ではないと判別されたとき、及びステップＳ６で再生作動は停止していないと判別されたときには、エラーカウントをリセットし（ステップＳ７）、再びステップＳ１に戻って上記作動を繰り返す。
【００３７】
なお、上記実施例においては、エラーレートが所定値以上のときにモニターにディスクのクリーニングを促す表示を行った例を示したが、その他、例えば音声によりそのような出力を行っても良い。
【００３８】
また、上記のように本発明においてはエラーレートが所定値以上であるときには、最も可能性の高いディスクのクリーニングを促すようにしたものであるが、その他例えばピックアップのレンズ表面の汚れ等種々の原因が考えられるので、必要に応じてこれらの予め考えられる原因を列挙するようにしても良い。
【００３９】
【発明の効果】
本発明に係るＤＶＤディスクのエラー原因提示装置は、ＤＶＤディスクのデータ読み取り手段と、前記読み取り手段で読み取ったデータを一時的に蓄積するバッファと、前記バッファに蓄積したデータを取り込みデコードするデータデコード手段と、前記読み取り手段の作動による読み取り命令に対して読み取りエラーを発生した回数の割合を演算する読み取りエラーレート演算手段と、前記読み取りエラーレートが所定値以上であるか否かを判別する判別手段とを備え、前記エラーレートの所定値を、前記バッファから前記データデコード手段に取り込むデータ速度と、ＤＶＤディスクから前記バッファに取り込まれるデータ速度の比較により設定するとともに、前記判別手段でエラーレートが所定値以上であると判別したときには、ディスクのクリーニングを促す出力を行うようにしたので、ＤＶＤディスク表面上の些細な汚れによってプレーヤが読み取りエラーを発生したことを確実に利用者に知らせ、このような原因によるプレーヤの作動不良時に、利用者がプレーヤー等の本体の故障であると誤解して修理に出すことがないようにすることができる。
【００４０】
また、本発明に係る他のＤＶＤディスクのエラー原因提示装置は、前記エラーレートの所定値を、２倍速読み取り可能の装置において２％に設定したので、２倍速の読み取り可能な装置において、バッファから読み出しデコードにかけるデータの速度より、ＤＶＤディスクからバッファに取り込まれるデータの量が少ないときにディスク面の汚れが原因していることを正確に判断することができる装置とすることができる。
【００４１】
また、本発明に係る他のＤＶＤディスクのエラー原因提示装置は、前記ディスクのクリーニングを促す出力を、モニター、または音声により行うようにしたので、モニターに出力して表示する場合は利用者に対して長時間にわたり確実に知らせることができ、またその出力を音声により行うものにおいては、モニター画面から離れている人、あるいはこれを見ていない人に対しても確実にその状態を知らせることができる。
【００４２】
また、本発明に係る他のＤＶＤディスクのエラー原因提示装置は、前記ＤＶＤディスクのクリーニングを促す出力以外に、他の予想される原因も出力するようにしたので、利用者は読み込みエラーレートが原因となる前記ディスク表面の汚れ以外の各種の原因を知ることができ、対処が容易となる。
【図面の簡単な説明】
【図１】本発明の実施例の機能ブロック図である。
【図２】本発明の実施例においてディスクエラー表示処理を行う作動フロー図である。
【図３】本発明において用いるＤＶＤ−ＡＶディスクの物理フォーマットの例を示す図である。
【図４】本発明においてディスクのクリーニングを促す表示を行う例を示す図である。
【符号の説明】
１  モータ
２  ＤＶＤ
３  ピックアップ
４  復調訂正部
５  ドライブコントローラ
６  ストリームスイッチ
７  トラックバッファ
８  システムバッファ
９  ストリームスイッチ
１０  デマルチプレクサ
１１  主映像バッファ
１２  副映像バッファ
１３  オーディオバッファ
１４  ＰＣＩバッファ
１５  主映像デコーダ
１６  副映像デコーダ
１７  オーディオデコーダ
１８  ＰＣＩデコーダ
１９  混合器
２０  システムコントローラ
２１  読み込みエラーレート演算部
２２  ディスク汚れ判別部
２３  モニター
２４  スピーカ
【図１】
0003825302.tif 000002
【図２】
0003825302.tif 000003
【図３】
0003825302.tif 000004
【図４】
0003825302.tif 000005